Podtech/llm-jp-corpus-v4-ja_patent huggingface dataset:
【手続補正書】
【提出日】平成20年11月5日(2008.11.5)
【手続補正１】
【補正対象書類名】特許請求の範囲
【補正対象項目名】全文
【補正方法】変更
【補正の内容】
【特許請求の範囲】
【請求項１】
窒素を含まなくした液化天然ガス流（５０）を製造する方法であって、
ガスタービンにより提供される仕事を利用して、窒素を含有する天然ガス（１５）を液化（１６）して窒素含有液化天然ガス流（４１）を提供すること、
この液化天然ガス流に蒸留塔（２３）での第１の分別を受けさせて第１の窒素富化オーバーヘッド蒸気流（４６）と窒素含有ボトム液体流（１９）とを提供すること、
前記ボトム液体流（１９）の少なくとも一部分（２０）を、前記液化天然ガス流に由来しない冷媒流体（３９）により供給される寒冷を利用して過冷却（１６）し、減圧（２１）すること、
前記過冷却し減圧した部分（４２）に、前記第１の窒素富化オーバーヘッド蒸気流（４６）の一部分を凝縮させることにより提供される熱交換負荷を利用して、フラッシュドラム（２５）における第２の分別（２５）を受けさせて、前記第１のオーバーヘッド蒸気流（４６）よりも低い純度の第２の窒素富化オーバーヘッド蒸気流（３６）と、精製液化天然ガス流とを提供すること、
前記蒸留塔（２３）に凝縮された第１の窒素富化オーバーヘッド蒸気（４５）を還流させ、そして
前記窒素富化オーバーヘッド蒸気流（４６、３６）のうちの第２のもの（３６）のみを、前記ガスタービンで使用される燃料ガスとして使用し、あるいはそれに加えること、
を含む、窒素を含まなくした液化天然ガス流の製造方法。
【請求項２】
前記窒素含有ボトム液体流（１９）の全体を前記フラッシュドラム（２５）に供給する、請求項１に記載の方法。
【請求項３】
前記過冷却された窒素含有ボトム液体流（２０）の一部分（５４）だけを前記フラッシュドラム（２５）に供給し、そして残り（５３）は、前記第１のオーバーヘッド蒸気流（４６）よりも低い純度の第３の窒素富化オーバーヘッド蒸気流（５５）と第２の精製液化天然ガス流（５１）とに分離するための第２のフラッシュドラム（５２）に供給する、請求項１に記載の方法。
【請求項４】
前記第１の窒素富化オーバーヘッド蒸気流（４６）の窒素濃度が８０ｍｏｌ％を超える、請求項１から３までのいずれか１項に記載の方法。
【請求項５】
前記第１の窒素富化オーバーヘッド蒸気流（４６）の窒素濃度が９０ｍｏｌ％を超える、請求項４に記載の方法。
【請求項６】
前記第１の窒素富化オーバーヘッド蒸気流（４６）の窒素濃度が９５ｍｏｌ％を超える、請求項５に記載の方法。
【請求項７】
前記窒素含有天然ガス（１５）を液化部と過冷却部とを有するスパイラル式熱交換器（１６）で液化させ、前記窒素含有液化天然ガス流を該液化部の後で抜き出し、そして前記蒸留塔（２３）からの前記ボトム液体流を該過冷却部で過冷却する、請求項１から６までのいずれか１項に記載の方法。
【請求項８】
燃料ガスにより動力が与えられる前記ガスタービンによって仕事が供給される循環冷媒システム（２７〜８９）によって熱交換器冷却負荷が提供される、液化部と過冷却部とを有するスパイラル式熱交換器（１６）に、前記窒素含有天然ガス流（１５）を供給すること、
前記液化部の後で液化ガス流（１７）を抜き出すこと、
前記液化ガス流に前記蒸留塔（２３）での第１の分別を受けさせて前記第１の窒素富化オーバーヘッド蒸気流（４６）と前記窒素含有ボトム液体流（１９）とを提供すること、
前記ボトム液体流の少なくとも一部分（１９）を前記熱交換器（１６）の前記過冷却部で過冷却し、そして当該一部分を減圧（２１）すること、
当該減圧した一部分に前記フラッシュドラム（２５）での第２の分別を受けさせて、前記第１のオーバーヘッド蒸気流（４６）よりも低い純度の前記第２の窒素富化オーバーヘッド蒸気流と、前記精製液化天然ガス流（５０）とを提供すること、
前記第１の窒素富化オーバーヘッド蒸気流の一部分を前記フラッシュドラムで凝縮させてそこでの熱負荷を提供し、そして前記凝縮された窒素富化オーバーヘッド流（４４）を生じさせること、
当該凝縮された窒素富化オーバーヘッド流の少なくとも一部分（４５）を前記蒸留塔（２３）に還流として戻すこと、及び、
前記第２の窒素富化オーバーヘッド蒸気流（３６）を燃料ガスの少なくとも成分として使用すること、
を含む、請求項７に記載の方法。
【請求項９】
請求項１に記載の方法によって、窒素を含まなくした液化天然ガス流を製造するための装置であって、
窒素含有天然ガス原料（１５）を液化するための冷却システム（１６）、
前記冷却システム（１６）に関連して用いるための仕事を提供するガスタービン、
蒸留塔（２３）、
フラッシュドラム（２５）、
前記フラッシュドラム内のコンデンサー（２４）、
冷媒流体（３９）から冷却負荷を受け取るための熱交換器（１６）、
前記冷却システム（１６）から前記蒸留塔（２３）へ窒素含有液化天然ガスを供給するための導管手段（１７、４１）、
前記蒸留塔（２３）から第１の窒素富化オーバーヘッド蒸気流を取り出すための導管手段（４６）、
前記第１の窒素富化オーバーヘッド蒸気流の一部分を前記コンデンサー（２５）に送るための導管手段（４３）、
凝縮された第１の窒素富化オーバーヘッド蒸気流を前記コンデンサー（２５）から前記蒸留塔（２３）に還流として戻すための導管手段（４４、４５）、
前記窒素含有ボトム液体流を前記蒸留塔（２３）から前記熱交換器（２４）に送るための導管手段（１９）、
過冷却された窒素含有ボトム液体流を前記熱交換器から低下した圧力の前記フラッシュドラム（２５）に送るための導管手段（２０）、
前記第２の窒素富化オーバーヘッド蒸気流を前記フラッシュドラム（２５）から取り出すための導管手段（３６）、
前記精製液化天然ガス流を前記フラッシュドラムから取り出すための導管手段（５０）、及び、
前記ガスタービンに前記第２の窒素富化オーバーヘッド蒸気流を燃料ガス供給物として供給するための導管手段（３６）、
を含む、窒素を含まなくした液化天然ガス流の製造装置。
【請求項１０】
前記冷却システムが、液化部と過冷却部とを有するスパイラル式熱交換器（１６）を含み、前記蒸留塔（２３）に窒素含有液化天然ガスを供給するための前記導管手段（１７、４１）が、前記液化部の後で前記熱交換器から前記流れを抜き出し、そして前記過冷却部が、前記蒸留塔（２３）からの窒素含有ボトム液体流を過冷却する熱交換器（１６）を構成する、請求項９に記載の装置。
【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
式（ＩＩ）：
（Ｒｇ−Ｌｋ−Ｖ２−Ｈｇ−ＣH２−ＣH３）(t)       （ＩＩ）
［式中、Ｒｇは哺乳動物ｓＲＡＧＥ配列であり、Ｌｋはポリペプチドまたは化学結合であり、Ｖ２は免疫グロブリン可変部のＣ末端の一部分であり、Ｈｇは免疫グロブリン可変ヒンジ部の少なくとも一部分であり、ＣH２は免疫グロブリン重鎖ＣH２定常部であり、そしてＣH３は免疫グロブリン重鎖ＣH３定常部であり、そしてｔは独立して整数１〜１０である］
で表されるポリペプチド。
【請求項２】
Ｒｇが、配列番号：１の生物学的に活性なフラグメントまたは配列番号：１に実質的に相同なポリペプチドである、請求項１記載のポリペプチド。
【請求項３】
Ｒｇが、配列番号：１の残基３１〜１０６、３１〜２１５または３１〜３０８において示されるアミノ酸配列を有する、請求項１記載のポリペプチド。
【請求項４】
Ｈｇ、ＣH２およびＣH３がＩｇＧ１サブクラスのものである、請求項１記載のポリペプチド。
【請求項５】
ＨｇのＣｙｓ２２０がＡｌａにより置換され、そしてＣH２−ＣH３のＬｅｕ２３４およびＬｅｕ２３５がＡｌａ２３４およびＡｌａ２３５に変異されている、請求項４記載のポリペプチド。
【請求項６】
ＨｇがＩｇＧ４サブクラスのものであり、そしてＣH２およびＣH３がＩｇＧ１サブクラスのものである、請求項１記載のポリペプチド。
【請求項７】
Ｈｇ、ＣH２およびＣH３がＩｇＧ４サブクラスのものである、請求項１記載のｓＲＡＧＥミメティボディポリペプチド。
【請求項８】
ＨｇのＳｅｒ２２８がＰｒｏにより置換され、そしてＣH２−ＣH３のＰｈｅ２３４およびＬｅｕ２３５がＡｌａ２３４およびＡｌａ２３５に変異されている、請求項１記載のポリペプチド。
【請求項９】
ポリペプチドが少なくとも１種のＲＡＧＥリガンドに結合する、請求項１記載のポリペプチド。
【請求項１０】
リガンドが、進行したグリコシル化最終産物（ＡＧＥ）、アンホテリン、Ｓ１００／カルグラヌリンおよびβ−アミロイドの少なくとも１種である、請求項９記載のポリペプチド。
【請求項１１】
配列番号：３、５、７、９、１１または１３において示される配列を有するポリペプチドを含んでなるポリペプチド。
【請求項１２】
請求項１記載のポリペプチドをコードしているポリヌクレオチド。
【請求項１３】
配列番号：４、６、８、１０、１２または１４において示される配列、または相補的配列を有するポリヌクレオチドを含んでなるポリヌクレオチド。
【請求項１４】
配列番号：３、５、７、９、１１または１３において示されるアミノ酸配列をコードしているポリヌクレオチドを含んでなるポリヌクレオチド。
【請求項１５】
請求項１３または１４のポリヌクレオチドを含んでなるベクター。
【請求項１６】
請求項１記載のポリペプチドを発現する細胞系。
【請求項１７】
請求項１５のベクターを含有する細胞系。
【請求項１８】
細胞系がＨＥＫ２９３、ＮＳ０、ＳＰ２／０またはＣＨＯ細胞である、請求項１７記載の細胞系。
【請求項１９】
請求項１記載の少なくとも１種のポリペプチドの有効な量および製薬学的に許容できる担体または希釈剤を含んでなる製薬学的組成物。
【請求項２０】
請求項１〜１１のいずれかに記載のポリペプチドを有効成分として含んでなる、哺乳動物におけるＲＡＧＥの生物学的活性を改変するための製薬学的調製物。
【請求項２１】
請求項１〜１１のいずれかに記載のポリペプチドを有効成分として含んでなる、少なくとも１種のＲＡＧＥに関係する症状または疾患の症候を軽減するか、または症状または疾患を処置するための製薬学的調製物。
【請求項２２】
ＲＡＧＥに関係する症状および疾患が、免疫疾患、心血管障害、代謝疾患、悪性疾患または神経障害である、請求項２１記載の調製物。
【請求項２３】
ＲＡＧＥに関係する症状または疾患が、糖尿病、アルツハイマー病、動脈硬化症、腫瘍の増殖および転移、大腸炎、遅延型過敏症、多発性硬化症またはオキシダントストレスである、請求項２１記載の調製物。
【請求項２４】
請求項１６の細胞系を培養し、そして発現されたポリペプチドを精製する段階を含んでなる、ポリペプチドを生産する方法。
【手続補正書】
【提出日】平成20年10月21日(2008.10.21)
【手続補正１】
【補正対象書類名】特許請求の範囲
【補正対象項目名】全文
【補正方法】変更
【補正の内容】
【特許請求の範囲】
【請求項１】
易流動性物品の供給物を含有する容器から、易流動性物品を取り出すためのバルブであって；
長軸を有する円筒状ボアを規定するハウジングであって、該ボアは該ハウジングを部分的に通って延びており、前記ハウジング内において前記ボアと連絡する第１および第２のボトム・ポートと、前記ハウジング内において前記ボアと連絡する第１および第２のサイド・ポートとを有するハウジング；
前記ボア内に収容され、該ボアの長軸に沿って軸方向に移動することができる円筒状バルブ・スプールであって、円筒状外側表面、該円筒状外側表面に軸方向に沿って分布させて設けられている第１および第２の環状溝、前記第２の環状溝からバルブ・スプールの一端部におけるポートへ延びるバルブ・スプール内のバイパスを有しており、前記第１の環状溝はスプールの軸方向について第２の環状溝とバルブ・スプールの前記１つの端部との間に設けられている円筒状バルブ・スプール；ならびに
前記ボア内においてバルブ・スプールを第１の状態と第２の状態との間で選択的にスライドさせるバルブ・スプール・アクチュエータ
を有してなり、
スプールが第１の状態にあるときに、第１のボトム・ポートは第１の環状溝を通って第１のサイド・ポートに連絡し、および、第２のボトム・ポートは第２の環状溝を通って第２のサイド・ポートに連絡すること、ならびに、スプールが第２の状態にあるときに、第１および第２のボトム・ポートは第１の環状溝を通って相互に連絡し、および、第１および第２のサイド・ポートは第２の環状溝およびバイパスを通って相互に連絡することを特徴とするバルブ。
【請求項２】
バルブ・スプールを通るバイパスは開放端を有する長手方向経路を有しており、該経路はバルブ・スプールの中からバルブ・スプールの前記一端部へ延びており、該経路の開放端がバイパス・ポートであることを特徴とする請求項１に記載のバルブ。
【請求項３】
バイパスが、バルブ・スプール内に１つの半径方向のボアだけを有することを特徴とする請求項１に記載のバルブ。
【請求項４】
バルブ・スプールの円筒状外側表面における環状のチャンネル内に少なくとも１つのＯリングが収容されており、該Ｏリングと、バルブ・スプールおよびバルブ・ハウジングとの係合によってシールを形成し、ならびに該Ｏリングが完全フッ素化された弾性材料によって本質的に形成されていることを特徴とする請求項１に記載のバルブ。
【請求項５】
Ｏリングが完全フッ素化された弾性材料によって本質的に形成されていることを特徴とする請求項４に記載のバルブ。
【請求項６】
第１および第２のボトム・ポートの一方はそこにチューブを接続することに適合化されており、ならびに、第１および第２のボトム・ポートの他方はそこにチューブを接続することに適合化されていないことを特徴とする請求項１に記載のバルブ。
【請求項７】
バルブ・スプールがハウジングに対して移動することを選択的に抑制するように操作可能であるバルブ・ロックを更に有してなることを特徴とする請求項１に記載のバルブ。
【請求項８】
バルブ・ロックがバルブ・スプール・リテーナを有してなり、該バルブ・スプール・リテーナは、バルブ・スプールの一端部におけるネジ溝付きボアの中にねじ込むことができるネジ溝付きシャフトを有することを特徴とする請求項７に記載のバルブ。
【請求項９】
易流動性物品の供給物を含有する容器から、易流動性物品を取り出すためのバルブであって；
長軸を有する円筒状ボアを規定するハウジングであって、前記ハウジング内において前記ボアと連絡する第１および第２のボトム・ポートと、前記ハウジング内において前記ボアと連絡する第１および第２のサイド・ポートとを有するハウジング；
前記ボア内に収容され、該ボアの長軸に沿って軸方向に移動することができる円筒状バルブ・スプールであって、円筒状外側表面、該円筒状外側表面に軸方向に沿って設けられている第１および第２の環状溝、前記第２の環状溝からバルブ・スプールの一端部におけるポートへ延びるバルブ・スプール内のバイパスを有しており、前記第１の環状溝は該バルブ・スプールの軸方向について、第２の環状溝とバイパス・ポートとの間に設けられており、該バイパス・ポートは該ボアの一端部に隣接している円筒状バルブ・スプール；ならびに
前記ボア内においてバルブ・スプールを第１の状態と第２の状態との間で選択的にスライドさせるバルブ・スプール・アクチュエータであって、前記第１の状態は、第１のボトム・ポートが第１の環状溝を通って第１のサイド・ポートに連絡し、および、第２のボトム・ポートが第２の環状溝を通って第２のサイド・ポートに連絡する状態であり、ならびに、前記第２の状態は、第１および第２のボトム・ポートが第１の環状溝を通って相互に連絡し、および、第１および第２のサイド・ポートが第２の環状溝およびバイパスを通って相互に連絡する状態であるバルブ・スプール・アクチュエータ
を有してなり、
前記バイパス・ポートは前記隣接するボアの一端部と連通することを特徴とするバルブ。
【請求項１０】
前記バイパスが、バルブ・スプール内に１つの半径方向のボアだけを有することを特徴とする請求項９に記載のバルブ。
【請求項１１】
バルブ・スプールを通るバイパスは開放端を有する長手方向経路を有しており、該経路はバルブ・スプールの中からバルブ・スプールの前記端部へ延びており、該経路の開放端がバイパス・ポートであることを特徴とする請求項１０に記載のバルブ。
【請求項１２】
前記ハウジングによって規定されるボアが、該ハウジングを通って部分的に延びることを特徴とする請求項９に記載のバルブ。
【請求項１３】
バルブ・スプールの外側表面上にＯリングを３つだけ有しており、前記バルブ・スプールと前記ハウジングとの間でシールを形成することを特徴とする請求項９に記載のバルブ。
【請求項１４】
前記３つのＯリングは完全フッ素化された弾性材料によって本質的に形成されていることを特徴とする請求項１３に記載のバルブ。
【手続補正書】
【提出日】平成20年10月8日(2008.10.8)
【手続補正１】
【補正対象書類名】明細書
【補正対象項目名】０００３
【補正方法】変更
【補正の内容】
【０００３】
軍事品を検出する敵の能力を低下させるために、カモフラージュ（１）を軍事品に、軍事品の邪魔にならないように施して、軍事品の目的を達成する、または軍事品を所望の使用に供することができ、（２）カモフラージュによって、広範囲に配備される検出器による軍事品の検出効率を下げることができ、（３）カモフラージュを、大きく変化する戦場環境（夜間、日中、または雨のような）、移動、及び所定の戦闘現場内の複数の地理的位置及び環境に動的に適合させることができ、（４）カモフラージュを種々のパターンに迅速に構成し直して、または変更して大きく変化する地理的環境に適合させることができ、そして（５）カモフラージュを許容可能なコストで展開することができることが望ましい。カモフラージュの機能を向上させることにより、上述の望ましい特徴及び重要な戦術上の利点の内の幾つかを使用することができる。
【特許文献１】米国特許第７，０３８，８３３号明細書
【誤訳訂正書】
【提出日】平成20年8月1日(2008.8.1)
【誤訳訂正１】
【訂正対象書類名】特許請求の範囲
【訂正対象項目名】請求項４
【訂正方法】変更
【訂正の内容】
【請求項４】
前記化学的溶剤がアミン溶剤、好ましくは第二アミン、第三アミン又はそれらの混合物、更に好ましくは、エタノールアミンから誘導された１種以上のアミン化合物、なお更に好ましくはＤＩＰＡ、ＤＥＡ、ＭＭＥＡ、ＭＤＥＡ及びＤＥＭＥＡの群から選ばれた１種以上のアミン化合物である請求項３に記載の方法。
【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
高親和性の血管内皮細胞増殖因子（VEGF）拮抗剤、１つ以上の降圧治療剤、および許容される担体を含む薬学的組成物であって、該VEGF拮抗剤がVEGFR1R2-FcΔC1(a)（配列番号：４）である、薬学的組成物。
【請求項２】
１つ以上の降圧治療剤が、アンジオテンシン変換酵素（ACE）阻害剤、カルシウムチャネル拮抗剤、βアドレナリン受容体拮抗剤、アンジオテンシンII受容体拮抗剤、αアドレナリン受容体拮抗剤、血管拡張剤、及び利尿剤からなる群より選択される、請求項１記載の薬学的組成物。
【請求項３】
ACE阻害剤が、アラセプリル；ベナゼプリル；カプトプリル；セロナプリル；デラプリル；エナラプリル；ホシノプリル；イミダプリル；リシノプリル；モベルチプリル；ペリンドプリル；キナプリル；ラミプリル；スピラプリル；テモカプリル；及びトランドラプリルからなる群より選択される、請求項２記載の薬学的組成物。
【請求項４】
カルシウムチャネル遮断剤が、アムロジピン、ベプリジル、クレンチアゼム、ジルチアゼム、フェンジリン、ガロパミル、ミベフラジル、プレニルアミン、セモチアジル、テロジリン、ベラパミル、アラニジピン、バルニジピン、ベニジピン、シルニジピン、エホニジピン、エルゴジピン、フェロジピン、イスラジピン、ラシジピン、レルカニジピン、マニジピン、ニカルジピン、ニフェジピン、ニルバジピン、ニモジピン、ニソルジピン、ニトレンジピン、シンナリジン、フルナリジン、リドフラジン、ロメリジン、ベンシクラン、エタフェノン、及びペルヘキシリンからなる群より選択される、請求項２記載の薬学的組成物。
【請求項５】
βアドレナリン受容体拮抗剤が、アセブトロール、アルプレノロール、アモスラロール、アロチノロール、アテノロール、ベフノロール、ベタキソロール、ベバントロール、ビソプロロール、ボピンドロール、ブクモロール、ブフェトロール、ブフラロール、ブニトロロール、ブプラノロール、塩酸ブチドリン、ブトフィロロール、カラゾロール、カルテオロール、カルベジロール、セリプロロール、セタモロール、クロラノロールジレバロール、エパノロール、インデノロール、ラベタロール、レボブノロール、メピンドロール、メチプラノロール、メトプロロール、モプロロール、ナドロール、ナドキソロール、ネビバロール、ニプラジロール、オクスプレノロール、ペンブトロール、ピンドロール、プラクトロール、プロネタロール、プロプラノロール、ソタロール、スルフィナロール、タリノロール、テルタトロール、チリソロール、チモロール、トリプロロール、及びキシベノロールからなる群より選択される、請求項２記載の薬学的組成物。
【請求項６】
αアドレナリン受容体拮抗剤が、アモスラロール、アロチノロール、ダピプラゾール、ドキサゾシン、フェンスピリド、インドラミン、ラベトロール、ナフトピジル、ニセルゴリン、プラゾシン、タムスロシン、トラゾリン、トリマゾシン、及びヨヒンビンからなる群より選択される、請求項２記載の薬学的組成物。
【請求項７】
血管拡張剤が、脳血管拡張剤、冠血管拡張剤、及び／又は末梢血管拡張剤である、請求項２記載の薬学的組成物。
【請求項８】
脳血管拡張剤が、ベンシクラン、シンナリジン、シチコリン、シクランデレート、シクロニカート、ジクロロ酢酸ジイソプロピルアミン、エブルナモニン、ファスジル、フェノキセジル、フルナリジン、イブジラスト、イフェンプロジル、ロメリジン、ナフロニル、ニカメタート、ニセルゴリン、ニモジピン、パパベリン、チノフェドリン、ビンカミン、ビンポセチン、及びビキジルからなる群より選択される、請求項７記載の薬学的組成物。
【請求項９】
冠血管拡張剤が、アモトリフェン、ベンダゾール、ベンフロジルヘミスクシナート、ベンズヨーダロン、クロラシジン、クロモナール、クロベンフラール、クロニトラート、クロリクロメン、ジラゼプ、ジピリダモール、ドロプレニラミン、エフロキサート、四硝酸エリトリチル、エタフェノン、フェンジリン、フロレジル、ガングレフェン、ヘキセストロールビス（βジエチルアミノエチル）エーテル、ヘキソベンジン、イトラミントシレート、ケリン、リドフラジン、六硝酸マンニトール、メジバジン、ニトログリセリン、四硝酸ペンタエリスリトール、ペントリニトロール、ペルヘキシリン、ピメフィリン、プレニルアミン、硝酸プロパチル、トラピジル、トリクロミル、トリメタジジン、リン酸トロールニトラート、ビスナジンからなる群より選択される、請求項７記載の薬学的組成物。
【請求項１０】
末梢血管拡張剤が、ニコチン酸アルミニウム、バメタン、ベンシクラン、ベタヒスチン、ブラジキニン、ブロビンカミン、ブフェニオド、ブフロメジル、ブタラミン、セチエジル、シクロニカート、シネパジド、シンナリジン、シクランデレート、ジクロロ酢酸ジイソプロピルアミン、エレドイシン、フェノキセジル、フルナリジン、ヘプロニカート、イフェンプロジル、イロプロスト、イノシトールナイアシネート、イソクスプリン、カリジン、カリクレイン、モキシシリト、ナフロニル、ニカメタート、ニセルゴリン、ニコフラノース、ナイリドリン、ペンチフィリン、ペントキシフィリン、ピリベジル、プロスタグランジンE1、スロクチジル、トラゾリン、及びキサンチノールナイアシネートからなる群より選択される、請求項７記載の薬学的組成物。
【請求項１１】
利尿剤が、ベンゾチアジアジン誘導体、利尿性有機水銀、利尿性プリン、利尿性ステロイド、利尿性スルホンアミド誘導体、利尿性ウラシル、アマノジン、アミロライド、アルブチン、クロラザニル、エタクリン酸、エトゾリン、ヒドラカルバジン、イソソルビド、マンニトール、メトカルコン、ムゾリミン、ペルヘキシリン、チクリナフェン、トリアムテレン、及び尿素からなる群より選択される、請求項２記載の薬学的組成物。
【手続補正書】
【提出日】平成20年10月8日(2008.10.8)
【手続補正１】
【補正対象書類名】特許請求の範囲
【補正対象項目名】全文
【補正方法】変更
【補正の内容】
【特許請求の範囲】
【請求項１】
農学的に活性な薬剤、脂肪酸塩およびキレート剤を含んでなる固体の農薬製剤。
【請求項２】
脂肪酸塩がＣ8〜Ｃ21脂肪酸を含んでなる請求項１に記載の製剤。
【請求項３】
脂肪酸塩がステアリン酸ナトリウム、オレイン酸ナトリウム、ステアリン酸アルミニウムまたはこれらの組み合わせ物を含んでなる請求項１に記載の製剤。
【請求項４】
キレート剤がエチレンジアミン四酢酸、グルコン酸、ニトリロ三酢酸、ジエチレントリアミン五酢酸、これらの塩、これらの水和物またはこれらの組み合わせ物を含んでなる請求項１に記載の製剤。
【請求項５】
キレート剤がエチレンジアミン四酢酸を含んでなる請求項１に記載の製剤。
【請求項６】
ポリ酸ポリマーを更に含んでなる請求項１に記載の製剤。
【請求項７】
水、農学的に活性な薬剤、脂肪酸塩およびキレート剤を含んでなる懸濁液濃縮製剤。
【請求項８】
（Ａ）農学的に活性な薬剤、脂肪酸塩およびキレート剤を含んでなる組成物を準備し；そして
（Ｂ）組成物を水中に分散させる
段階を含んでなる、固形の農学的に活性な薬剤の水性分散液を製造するための方法。
【手続補正２】
【補正対象書類名】明細書
【補正対象項目名】０１５４
【補正方法】変更
【補正の内容】
【０１５４】
本発明の好ましい態様を示し、かつ説明してきたが、当分野の熟練者によればこれらの改変は本発明の精神および教示から逸脱することなしに実施可能である。この明細書で述べる態様は例示のみのものであり、限定的のものには意図されていない。この明細書で開示した多数の本発明の変形および改変が可能であり、そしてこれらは本発明の範囲内のものである。数値範囲または限定が明示されている場合には、このような明示範囲または限定は、明示されている範囲または限定内に入る反復範囲または同様の大きさの限定を含むと理解されるべきである（例えば、約１〜約１０は２、３、４などを含み；０.１０よりも大きいは０.１１、０.１２、０.１３などを含む）。クレームの任意の要素に関して用語「場合によっては」を使用することは、主題の要素が必要とされたり、あるいは必要とされないということを意味するように意図されている。両方の選択肢がクレームの範囲内のものであるように意図されている。「含んでなる」、「含む」、「有する」などの広義の用語の使用は、「からなる」、「本質的にからなる」、「実質的にからなる」などの狭義の用語に対する支持を提供するように理解されるべきである。したがって、保護の範囲は上記の説明により限定されないが、クレームの主題事項のすべての同等物を含む、以下の特許請求の範囲により制限されるのみである。各クレームおよびすべてのクレームは本発明の態様としてこの明細書中に組み込まれている。したがって、このクレームは本発明の更なる説明であり、本発明の好ましい態様への付加である。この明細書中でのリフェレンス、特にこの出願の優先日後の公開日を有し得るリフェレンスの議論はこれが本発明の先行技術であるということを承認するものではない。すべての特許、特許出願およびこの明細書中に引用されている刊行物の開示は、この明細書中で示されているものに補助的である例示、方法あるいは他の詳細を提供する範囲で引用によりこの明細書に組み込まれている。
本発明の主な特徴を列挙すれば、次のとおりである。
１．農学的に活性な薬剤、脂肪酸塩およびキレート剤を含んでなる固体の農薬製剤。
２．農学的に活性な薬剤が除草剤、殺虫剤、殺菌剤、殺生物剤、軟体動物駆除剤、殺藻類剤、植物成長物質、駆虫剤、殺鼠剤、殺線虫剤、ダニ駆除剤、殺アメーバ剤、殺原生動物剤、作物安全性付与剤、補助剤またはこれらの組み合わせ物を含んでなる上記１に記載の製剤。
３．農学的に活性な薬剤がトリアジン、尿素またはこれらの組み合わせ物を含んでなる上記１に記載の製剤。
４．固体の農薬製剤がＷＤＧあるいはＷＰ製剤のものである上記３に記載の製剤。
５．農学的に活性な薬剤がアトラジン、シマジンまたはこれらの組み合わせ物を含んでなる上記１に記載の製剤。
６．脂肪酸塩がＣ8〜Ｃ21脂肪酸を含んでなる上記１に記載の製剤。
７．脂肪酸塩がステアリン酸ナトリウム、オレイン酸ナトリウム、ステアリン酸アルミニウムまたはこれらの組み合わせ物を含んでなる上記１に記載の製剤。
８．キレート剤がエチレンジアミン四酢酸、グルコン酸、ニトリロ三酢酸、ジエチレントリアミン五酢酸、これらの塩、これらの水和物またはこれらの組み合わせ物を含んでなる上記１に記載の製剤。
９．キレート剤がエチレンジアミン四酢酸を含んでなる上記１に記載の製剤。
１０．脂肪酸塩：キレート剤の比が約１：１００〜約１００：１である上記１に記載の製剤。
１１．脂肪酸塩およびせキレート剤が約１：１.５〜約１：３の比で存在する上記１に記載の製剤。
１２．脂肪酸塩およびキレート剤が消泡組み合わせ物を形成し、そして消泡組み合わせ物のレベルが約０.１％ｗ／ｗ〜約２０％ｗ／ｗである上記１に記載の製剤。
１３．ポリ酸ポリマーを更に含んでなる上記１に記載の製剤。
１４．ポリ酸ポリマーがキレート剤である上記３に記載の製剤。
１５．ポリ酸ポリマーがポリアクリル酸ナトリウムを含んでなる上記１３に記載の製剤。
１６．ポリアクリル酸ナトリウムが約５００ダルトン〜約２００００ダルトンの分子量を有する１５に記載の製剤。
１７．ポリ酸ポリマー：脂肪酸塩およびキレート剤の比が約１：５０〜約０.１である上記１３に記載の製剤。
１８．脂肪酸塩、キレート剤およびポリ酸ポリマーが消泡組み合わせ物を形成し、そして消泡組み合わせ物のレベルが約０.５重量％〜約２０重量％である上記１３に記載の製剤。
１９．湿潤剤を更に含んでなる上記１に記載の製剤。
２０．湿潤剤が約１％ｗ／ｗ〜約３％ｗ／ｗの量で製剤中に存在する上記１９に記載の製剤。
２１．分散剤を更に含んでなる上記１に記載の製剤。
２２．製剤が約４〜約９のｐＨを含んでなる上記１に記載の製剤。
２３．製剤が水分散性顆粒または湿潤型粉末の形のものである上記１に記載の製剤。
２４．水、農学的に活性な薬剤、脂肪酸塩およびキレート剤を含んでなる懸濁液濃縮製剤。
２５．農学的に活性な薬剤がアトラジン、シマジンまたはこれらの組み合わせ物を含んでなる上記２４に記載の製剤。
２６．脂肪酸塩がＣ8〜Ｃ21脂肪酸を含んでなる上記２４に記載の製剤。
２７．ポリ酸ポリマーを更に含んでなる上記２４に記載の製剤。
２８．（Ａ）農学的に活性な薬剤、脂肪酸塩およびキレート剤を含んでなる組成物を準備し；そして
（Ｂ）組成物を水中に分散させる
段階を含んでなる、固形の農学的に活性な薬剤の水性分散液を製造するための方法。
２９．脂肪酸塩およびキレート剤が消泡組み合わせ物を形成し、そして消泡組み合わせ物のレベルが約０.１％ｗ／ｗ〜約２０％ｗ／ｗである上記２８に記載の方法。
３０．ポリ酸ポリマーを更に含んでなる上記２８に記載の方法。
３１．ポリ酸ポリマー：脂肪酸塩およびキレート剤の比が約１：５０〜約５０：１である上記３０に記載の方法。
【誤訳訂正書】
【提出日】平成19年11月16日(2007.11.16)
【誤訳訂正１】
【訂正対象書類名】特許請求の範囲
【訂正対象項目名】全文
【訂正方法】変更
【訂正の内容】
【特許請求の範囲】
【請求項１】
０．１から９０重量％の導電性フィラーと；
９０から１０重量％の１００，０００ｃｐｓ以下の粘性である有機ポリシロキサン混合物とからなる、硬化可能な組成物から形成される導電性の硬化シリコーンであって：
前記混合物は下記からなっている：
前記硬化可能な組成物の硬化を促進する触媒；
分子当り少なくとも２つのアルケニル基を有する有機ポリシロキサン；
分子当り少なくとも２つのシリコン結合水素原子を有する有機ポリシロキサン；
前記有機ポリシロキサン混合物の重量に対して、５から８０重量％の有機ポリシロキサンゲル剤形；および
前記硬化シリコーンは、ＡＳＴＭＤ−２２４０によって測定された、６０以下のShore A デュロメータ硬さ、１００℃、２５％圧縮７０時間でＡＳＴＭＤ−３９５−ＭｅｔｈｏｄＢによって測定された、３０％以下の圧縮永久ひずみ抵抗、および、１０６オーム−ｃｍ以下の容積抵抗率を有している。
【請求項２】
請求項１に記載の硬化シリコーンであって、前記有機ポリシロキサン混合物が、１０００ｃｐｓ以下の粘度を有する有機ポリシロキサン流体を含有している。
【請求項３】
請求項１または２に記載の硬化シリコーンであって、分子当り少なくとも２つのアルケニル基を有する前記有機ポリシロキサンは、次式で表され：
ＭａＤｂＴｃＱｄ
下に添付した文字ａ，b，ｃ，ｄは、ゼロまたは正の整数であり、ａおよびｂが両方ともゼロの場合には、ｃは２以上である制限があり；
Ｍは式Ｒ3ＳｉＯ1／2であらわされ、
Ｄは式Ｒ2ＳｉＯ2／2であらわされ、
Ｔは式ＲＳｉＯ3／2であらわされ、そして、
Ｑは式ＳｉＯ4／2であらわされ、各Ｒ基は、別々に、水素、アルケニル基、各々１から４０個の炭素原子を有する置換または非置換一価炭化水素基を示し、Ｒ基の少なくとも２つはアルケニル基であるという限定があり；そして
分子当り少なくとも２つのシリコン結合水素原子を有する前記有機ポリシロキサンは、一般的に次の式で表され：
ＭａＤｂＴｃＱｄ
下に添付した文字ａ，ｂ，ｃ，ｄは、ゼロまたは正の整数であり、ａおよびｂが両方ともゼロの場合には、ｃは２以上である制限があり；
Ｍは式Ｒ3ＳｉＯ1／2であらわされ、
Ｄは式Ｒ2ＳｉＯ2／2であらわされ、
Ｔは式ＲＳｉＯ3／2であらわされ、そして
Ｑは式ＳｉＯ4／2であらわされ、各Ｒ基は、別々に、水素、各々１から４０個の炭素原子を有する置換または非置換一価炭化水素基を示し、Ｒ基の少なくとも２つは水素であるという限定がある。
【請求項４】
請求項１から３の何れか１項に記載の硬化シリコーンであって、前記有機ポリシロキサン流体が存在し、そして、前記有機ポリシロキサン流体が非反応性流体、反応性流体、または、これらの組み合わせであり沸点が約２６０℃以上である。
【請求項５】
請求項１から４の何れか１項に記載の硬化シリコーンであって、有機ポリシロキサンゲル剤形（フォーミュレーション）が存在し、前記ゲル剤形における分子当り少なくとも２つのシリコン結合水素原子を有する前記有機ポリシロキサンの合計濃度は、アルケニル基当り１以下のシリコン結合水素原子を提供する。
【請求項６】
請求項１から５の何れか１項に記載の硬化シリコーンであって、前記有機ポリシロキサンゲル剤形は、合計有機ポリシロキサン混合物の約８０％以下である。
【請求項７】
請求項１から６の何れか１項に記載の硬化シリコーンであって、前記導電性フィラーは、粒子からなっており、前記粒子は導電性金属、導電性金属合金、導電性金属含有被覆を有するガラス、または導電性金属含有被覆を有するセラミック基体からなっている。
【請求項８】
請求項１から７の何れか１項に記載の硬化シリコーンであって、前記導電性フィラーは、ニッケル被覆黒鉛、銀金属含有被覆を有するセラミック基体、銀被覆中空ガラス、または、少なくとも１つの前記導電性フィラーからなる組み合わせである。
【請求項９】
請求項１から８の何れか１項に記載の組成物から製造された製造物。
【請求項１０】
請求項９に記載の製造物であって、前記製造物はＥＭＩ遮蔽を提供する。
【請求項１１】
請求項１０に記載の製造物であって、前記製造物はＥＭＩ遮蔽ガスケットである。
【請求項１２】
請求項１から８に記載の組成物をシート上に鋳込み、そして、前記組成物を硬化することからなる、硬化シリコーンシートの製造方法。
【誤訳訂正２】
【訂正対象書類名】明細書
【訂正対象項目名】００５６
【訂正方法】変更
【訂正の内容】
【００５６】
下記材料を使用した。
【表１】
2004533501.tif 000001
【手続補正書】
【提出日】平成20年8月14日(2008.8.14)
【手続補正１】
【補正対象書類名】明細書
【補正対象項目名】特許請求の範囲
【補正方法】変更
【補正の内容】
【特許請求の範囲】
【請求項１】
膠原質材料と少なくとも一つの非生存細胞成分を含んでなる抗癒着性パッチ。
【請求項２】
上記膠原質材料が、コラーゲンタイプＩまたはコラーゲンタイプＩと、エラスチン、間質コラーゲン、コラーゲンタイプＩＩＩ、Ｖ及びＩＸ、糖タンパク質及びプロテオグリカンからなる群から選ばれる共成分との組み合わせ物である、請求項１の抗癒着性パッチ。
【請求項３】
上記膠原質材料または非生存細胞成分または両方が、天然の材料源または組み換え材料源のものである請求項１の抗癒着性パッチ。
【請求項４】
天然の材料源からの上記非生存細胞成分が、ヒト結合組織細胞、線維芽細胞、皮膚線維芽細胞または血管平滑筋細胞である請求項３の抗癒着性パッチ。
【請求項５】
組み換え材料源からの上記非生存細胞成分が設計された細胞である請求項３の抗癒着性パッチ。
【請求項６】
抗癒着性パッチを構築する方法であって、
（ａ）ヒト結合組織細胞を膠原質材料と混合し、
（ｂ）生成した混合物をマトリックス組織化媒体中でインキュベーションして、該細胞を刺激して、膠原質材料に適合、組織化して、望ましい寸法と機械的性質を有する単一細胞組織同等物とし、
（ｃ）該組織同等物を処理して、該細胞を除去し、そして
（ｄ）該処理後に該組織同等物中に生細胞が存在しないことを確認し、ここで、上記組織同等物が抗癒着性パッチとして使用できる、
段階を含んでなる方法。
【請求項７】
上記膠原質材料が酸溶液中にあり、そして最初に混合段階の前に４℃で中和される請求項６の方法。
【請求項８】
上記ヒト結合組織細胞が線維芽細胞、皮膚線維芽細胞または血管平滑筋細胞である請求項６の方法。
【請求項９】
上記膠原質材料が、コラーゲンタイプＩまたはコラーゲンタイプＩと、エラスチン、間質コラーゲン、コラーゲンタイプＩＩＩ、Ｖ及びＩＸ、糖タンパク質及びプロテオグリカンからなる群から選ばれる共成分の組み合わせ物である、請求項６の方法。
【請求項１０】
上記膠原質材料が天然の材料源または組み換え材料源のものである請求項６の方法。
【請求項１１】
上記マトリックス組織化媒体がウシ胎仔血清を含有する請求項６の方法。
【請求項１２】
上記マトリックス組織化媒体が線維芽細胞増殖因子（ＦＧＦ）、上皮増殖因子（ＥＧＦ）、血小板由来増殖因子（ＰＤＧＦ）、トランスフォーミング増殖因子ベータ（ＴＧＦβ）及びこれらの混合物からなる群から選ばれる増殖因子の無血清のカクテルである請求項６の方法。
【請求項１３】
上記増殖因子のカクテルが増殖プロモーターの存在下にある請求項１２の方法。
【請求項１４】
上記増殖プロモーターがトランスフェリンとインスリンを含む請求項１３の方法。
【請求項１５】
該細胞除去処理が栄養欠乏、抗生物質処理及び抗有糸分裂剤処理を含む請求項６の方法。
【請求項１６】
上記抗生物質がピューロマイシン、アンホテラシン及びマイトマイシンから選ばれ、抗有糸分裂薬が５−フルオロウラシルである、請求項１５の方法。
【請求項１７】
手術処置の間に手術を受ける器官と他の組織の間の組織癒着を防止する方法であって、手術を受ける組織の表面の一カ所に抗癒着性パッチを取り付ける段階を含んでなり、ここで、上記抗癒着性パッチが膠原質材料と少なくとも一つの非生存細胞成分を含んでなり、上記抗癒着性パッチが癒着形成に参加し、回復時に生体分解可能である方法。
【請求項１８】
手術を受ける上記組織が心臓である請求項１７の方法。
【請求項１９】
上記抗癒着性パッチが組織グルー、線維素組織グルーまたは別なタイプの生体接着剤を用いて外傷を受けた組織に取り付けられる請求項１７の方法。
【請求項２０】
上記別なタイプの生体接着剤がＮｉｔｉｎｏｌ Ｃｏｕｐｌｅｒである請求項１９の方法。
【誤訳訂正書】
【提出日】平成20年4月25日(2008.4.25)
【誤訳訂正１】
【訂正対象書類名】明細書
【訂正対象項目名】０１７９
【訂正方法】変更
【訂正の内容】
【０１７９】
７．移植したＢ１６黒色腫を有するＣ５７ＢＬ／６マウスの体液性免疫に対するペプチドの影響（方法６．１）
【表４６】
2004533846.tif 000001
【誤訳訂正書】
【提出日】平成20年3月21日(2008.3.21)
【誤訳訂正１】
【訂正対象書類名】特許請求の範囲
【訂正対象項目名】請求項８
【訂正方法】変更
【訂正の内容】
【請求項８】
さらに下記を具備する、請求項６記載の装置：
前記ふくそう測定基準測定ユニットおよび前記外部ループ閾値調整ユニットに接続され、前記測定されたふくそう測定基準を所望の閾値と比較する働きをする第２の比較器、そのときに、前記外部ループ閾値調整ユニットは、前記第２の比較器に応答して前記外部ループ閾値を調節する。
【手続補正書】
【提出日】平成19年12月7日(2007.12.7)
【手続補正１】
【補正対象書類名】明細書
【補正対象項目名】特許請求の範囲
【補正方法】変更
【補正の内容】
【特許請求の範囲】
【請求項１】  演算増幅器と、
前記演算増幅器の出力に結合されるラウドスピーカと、
センタタップグランドを有するスプリットレベル電源で機能するために、前記演算増幅器の信号入力を信号源に接続すると共に、前記演算増幅器を動作する電圧レベル変換器に接続する手段とを有するシステムであって、
前記電圧レベル変換器は、
前記演算増幅器の第１の極性の電力供給端子を前記電源の第１の極性に接続する第１の電圧レベル変換手段と、
前記演算増幅器の第２の極性の電力供給端子を前記スプリットレベル電源の第２の極性に接続する第２の電圧レベル変換手段と、
を備えるオーディオ増幅器システム。
【請求項２】  前記演算増幅器の前記信号入力は、前記演算増幅器と直列に接続される直流分離キャパシタなしに前記信号源に接続され、
前記演算増幅器の出力は、前記演算増幅器と直列に接続される直流分離キャパシタなしに前記ラウドスピーカに接続される、
請求項１記載のオーディオ増幅器システム。
【請求項３】  前記ラウドスピーカは、グランドを基準電圧とする１つの端子を有するイヤフォンである、
請求項２記載のオーディオ増幅器システム。
【請求項４】  前記演算増幅器は、共通の基板を有する同じ集積回路チップに複数の増幅器を含み、全ての前記複数の増幅器は電圧レベルが変換され、前記基板は、前記複数の増幅器のそれぞれに関して同じ量でバイアスされる、
請求項１記載のオーディオ増幅器システム。
【請求項５】  センタタップグランドを有する前記スプリットレベル電源は、他の機能を実行する他の回路に電力を供給する、
請求項１記載のオーディオ増幅器システム。
【請求項６】  前記増幅器の出力負荷は、受話器であり、前記他の機能を実行する前記他の回路は、ＤＶＤプレーヤである、
請求項５記載のオーディオ増幅器システム。
【請求項７】  前記演算増幅器は、直流電圧グランドに接続される交流基準電圧を有する、
請求項１記載のオーディオ増幅器システム。
【手続補正書】
【提出日】平成20年5月12日(2008.5.12)
【手続補正１】
【補正対象書類名】特許請求の範囲
【補正対象項目名】請求項１０
【補正方法】変更
【補正の内容】
【請求項１０】
ガード時間（ＧＴＩ）は最初のＩｕフレーム（ＦＮ）が到着するためのセイフティマージンを定義することを特徴とする請求項５乃至９のいずれかに記載の方法。
【手続補正２】
【補正対象書類名】特許請求の範囲
【補正対象項目名】請求項１３
【補正方法】変更
【補正の内容】
【請求項１３】
前記ガード時間（ＧＴＩ）は、最新到着時刻（ＬＡＴ）と到着時刻（ＡＴ）の最終時点との間の時間差として定義されることを特徴とする請求項１０に記載の方法。
【手続補正３】
【補正対象書類名】特許請求の範囲
【補正対象項目名】請求項１８
【補正方法】変更
【補正の内容】
【請求項１８】
第１のプロトコル（Ｕｕ）でのタイミングが接続フレーム番号（ＣＦＮ）により制御され、第２のプロトコル（Ｉｕ）でのタイミングがフレーム番号（ＦＮIu）により制御されるような、ＵＭＴＳ地上無線アクセスネットワーク（ＵＴＲＡＮ）システムであって、
前記第２のプロトコル（Ｉｕ）のフレーム番号に基づいて前記第１のプロトコル（Ｕｕ）にフレーム番号を与え、前記プロトコル間のダウンリンク同期を達成する手段を有することを特徴とするシステム。
【手続補正４】
【補正対象書類名】特許請求の範囲
【補正対象項目名】請求項２３
【補正方法】変更
【補正の内容】
【請求項２３】
ガード時間（ＧＴＩ）は最初のＩｕフレーム（ＦＮ）が到着するためのセイフティマージンを定義することを特徴とする請求項１８乃至２２のいずれかに記載のシステム。
【手続補正５】
【補正対象書類名】特許請求の範囲
【補正対象項目名】請求項２６
【補正方法】変更
【補正の内容】
【請求項２６】
前記ガード時間（ＧＴＩ）は、最新到着時刻（ＬＡＴ）と到着時刻（ＡＴ）の最終時点との間の時間差として定義されることを特徴とする請求項２３に記載のシステム。
【手続補正書】
【提出日】平成20年6月13日(2008.6.13)
【手続補正１】
【補正対象書類名】特許請求の範囲
【補正対象項目名】全文
【補正方法】変更
【補正の内容】
【特許請求の範囲】
【請求項１】
サービス・プロバイダのチャンネルを表す信号へのアクセスを管理する方法であって、
アクセス装置が前記信号を処理して、自己が有していない許可コードが関連付けられた前記チャンネルに、前記信号の内容に係わりのない指定された期間の間、アクセスできるようにするステップと、
前記指定された期間中に、現在の許可期間についての少なくとも１つの許可コードを前記アクセス装置に送信して、該少なくとも１つの許可コードによって前記アクセス装置が前記指定された期間を超えて前記チャンネルへのアクセスを継続できるようにする送信ステップと、
を備えた、前記方法。
【請求項２】
前記少なくとも１つの許可コードが、少なくとも１つの資格管理メッセージを含んでいる、請求項１記載の方法。
【請求項３】
前記送信ステップが更に、前記アクセス装置内に配置されたスマート・カードに前記少なくとも１つの許可コードを送信するステップを含む、請求項１又は請求項２記載の方法。
【請求項４】
前記指定された期間が、前記許可コードを送信するデータ・カルーセルのカルーセル・レート以上である、請求項１、請求項２又は請求項３記載の方法。
【請求項５】
前記少なくとも１つの許可コードが少なくとも２つの許可コードを含み、該少なくとも２つの許可コードが別個のチャンネルで供給され、且つ何れも前記チャンネルについての許可を与える、請求項１、請求項２、請求項３又は請求項４記載の方法。
【請求項６】
以前の許可期間についての許可コードは受信していたが現在の許可期間についての許可コードは受信していない前記アクセス装置について、前記指定された期間中に前記少なくとも１つの許可コードが受信されない場合、前記チャンネルへのアクセスを禁止するステップを更に備えた請求項１記載の方法。
【請求項７】
サービス・プロバイダのチャンネルを表す信号へのアクセスを管理するシステムであって、
スマート・カードが結合されている装置と、
前記装置に許可コードを送信する手段と、
を備え、
前記装置が、前記信号を処理して、自己が有していない許可コードが関連付けられた前記チャンネルに、前記信号の内容に係わりのない指定された期間の間、アクセスできるようにされ、
前記送信する手段が、前記指定された期間中に、現在の許可期間についての少なくとも１つの許可コードを前記装置に送信でき、該少なくとも１つの許可コードによって前記装置が前記指定された期間を超えて前記信号の処理と前記チャンネルへのアクセスとを継続できるようになる、前記システム。
【請求項８】
前記装置が、前記現在の許可期間についての許可コードを受信しなければ、前記指定された期間の終了後に前記チャンネルへのアクセスを中止する、請求項７記載のシステム。
【請求項９】
前記指定された期間が、前記許可コードを送信するデータ・カルーセルのカルーセル・レート以上である、請求項７又は請求項８記載のシステム。
【請求項１０】
条件付きアクセス・システム内で使用され、少なくとも１つの番組サービス・プロバイダからチャンネルを表す信号を受信するディジタル装置であって、
前記信号を処理して、自己が有していない許可コードが関連付けられた前記チャンネルに、前記信号の内容に係わりのない指定された期間の間、アクセスできるようにされ、
以前の許可期間についての前の許可コードは受信していたが現在の許可期間についての許可コードは受信しておらず、
前記少なくとも１つの番組サービス・プロバイダから送信された許可コードを受信して、この許可コードの受信によって前記指定された期間を超えて前記信号の処理と前記チャンネルへのアクセスとが継続できるようになる、前記ディジタル装置。
【請求項１１】
前記チャンネルについての許可コードを受信しなければ、前記指定された期間の終了後に前記信号の処理と前記チャンネルへのアクセスとを中止する、請求項１０記載のディジタル装置。
【請求項１２】
サービス・プロバイダのチャンネルを表す信号へのアクセスを管理する方法であって、
アクセス装置が前記信号を処理して、自己が有していない許可コードが関連付けられた前記チャンネルに、前記信号の内容に係わりのない指定された期間の間、アクセスできるようにするステップと、
前記アクセス装置に於いて、現在の許可期間についての少なくとも１つの許可コードを、前記指定された期間中に、受信して、該少なくとも１つの許可コードによって前記アクセス装置が前記指定された期間を超えて前記チャンネルへのアクセスを継続できるようにするステップと、
を備えた、前記方法。
【請求項１３】
アクセスできるようにする前記ステップには、前記アクセス装置が、以前の許可期間に対応する前の許可コードを受信していた場合に、前記信号を処理して前記チャンネルにアクセスできるようにするステップが含まれる、請求項１２記載の方法。
【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
フォトニックバンドギャップファイバを製造する方法であって、
複数の長手方向の通路を有するフォトニック結晶プリフォームを製造し、
該フォトニック結晶プリフォームをエッチングし、
エッチングされたフォトニック結晶プリフォームからフォトニックバンドギャップファイバを製造する、
各工程を有してなることを特徴とする方法。
【請求項２】
前記フォトニック結晶プリフォームをエッチングする工程が、
エッチング剤を前記複数の長手方向の通路に通して流動させ、
前記複数の長手方向の通路から材料を除去することにより、所定の量だけ該複数の長手方向の通路を拡大する、
各工程を含むことを特徴とする請求項１記載の方法。
【請求項３】
前記フォトニックバンドギャップファイバを製造する工程が、
前記エッチングされたフォトニック結晶プリフォームをフォトニックバンドギャップファイバを線引きする工程を含むことを特徴とする請求項１記載の方法。
【請求項４】
前記フォトニック結晶プリフォームを製造する工程が、
複数の中空コアガラス棒材を所定の配列に配置する工程を含むことを特徴とする請求項１記載の方法。
【請求項５】
エッチングされたガラスプリフォームから製造されたフォトニックバンドギャップファイバを有してなる光導波路ファイバ。
【手続補正書】
【提出日】平成20年8月12日(2008.8.12)
【手続補正１】
【補正対象書類名】明細書
【補正対象項目名】特許請求の範囲
【補正方法】変更
【補正の内容】
【特許請求の範囲】
【請求項１】
式（Ｉ）を有する化合物および化合物が塩基性である場合には該化合物の酸添加塩。
【化１】
2004533986.tif 000001
（Ｒ１およびＲ３は、別個に、ハロゲン、Ｃ１−４アルキル、ＮＲ’Ｒ”、Ｎ（Ｒ’）Ｃ（：Ｏ）Ｒ０、ニトロ、アリール、アリール−Ｃ１−４アルキル、又はアリールＣ１−４アルコキシの中から選択され（Ｒ３はＣ１−４アルコキシであってもよい）、Ｒ２は、別個に、水素、ハロゲン、Ｃ１−４アルキル、Ｃ１−４アルコキシ、ＮＲ’Ｒ”、Ｎ（Ｒ’）Ｃ（：Ｏ）Ｒ０、ニトロ、アリール、アリール−Ｃ１−４アルキル、又はアリールＣ１−４アルコキシの中から選択され、Ｒ０はＣ１−４アルキルまたはアリールであり、Ｒ’およびＲ”の各々は、別個に、ＨもしくはＣ１−４アルキルであるか、またはＲ’＝Ｒ”＝ＣｌＣＨ２ＣＨ２であるか、またはＮＲ’Ｒ”は、３−８員環を含む飽和複素環を構成し；ｍは、１〜４であり；ｔは、０〜３であり；Ｘは、ＮＨ、Ｎ−Ｃ１−４アルキル、ＯまたはＳである。）
【請求項２】
ｍ＝１、ｔ＝１、Ｒ１はインドール環の５位でメチルであり、Ｒ３は非縮合ベンゼン環の３位でＮ（Ｒ’）Ｃ（：Ｏ）Ｒ０であり、ＸはＮＨ、ＮＨ−Ｃ１−４アルキルまたはＯである、請求項１に記載の化合物。
【請求項３】
ｍ＝１、ｔ＝１、Ｒ１はインドール環の５位でメチルであり、Ｒ３は非縮合ベンゼン環の３位でＮＨ２であり、ＸはＮＨ、ＮＨ−Ｃ１−４アルキルまたはＯである、請求項１に記載の化合物。
【請求項４】
ｍ＝１、ｔ＝０であり、Ｒ１はインドール環の５位でメチルである、請求項１に記載の化合物。
【請求項５】
Ｎ−（２，４−ジニトロフェニル）−５−メチルトリプタミン、２，４−ジニトロ−５−（５’−メチルトリプチル）アミノアセトアニリド、Ｎ−（２，４−ジニトロ−５−アミノフェニル）−５’−メチルトリプタミンから選択される、請求項１に記載の化合物。
【請求項６】
動物繁殖のため、または、前立腺症状、インポテンス、心臓血管障害、中枢神経系および精神医学障害、時間生物学に基づく障害、内分泌適用、腫瘍性症状、免疫系、老化に随伴される症状、眼科疾患、群発性頭痛および片頭痛の予防もしくは処置のため、から選択される少なくとも１つの使用のための医薬的処方であって、少なくとも１つの医薬的に許容される希釈剤、保存剤、可溶化剤、乳化剤、アジュバントおよび／または担体、並びに、請求項１に定義された化合物およびその医薬的に許容される塩からなる群の少なくとも１つのメンバーを含み、Ｒ１は、別個に、水素、ハロゲン、Ｃ１−４アルキル、ＮＲ’Ｒ”、Ｎ（Ｒ’）Ｃ（：Ｏ）Ｒ０、ニトロ、アリール、アリール−Ｃ１−４アルキル、又はアリールＣ１−４アルコキシの中から選択され、Ｒ２およびＲ３は、別個に、水素、ハロゲン、Ｃ１−４アルキル、Ｃ１−４アルコキシ、ＮＲ’Ｒ”、Ｎ（Ｒ’）Ｃ（：Ｏ）Ｒ０、ニトロ、アリール、アリール−Ｃ１−４アルキル、又はアリールＣ１−４アルコキシの中から選択され、Ｒ０はＣ１−４アルキルまたはアリールであり、Ｒ’およびＲ”の各々は、別個に、ＨもしくはＣ１−４アルキルであるか、またはＲ’＝Ｒ”＝ＣｌＣＨ２ＣＨ２であるか、またはＮＲ’Ｒ”は、３−８員環を含む飽和複素環を構成し；ｍは、０〜４であり；ｔは、０〜３であり；Ｘは、ＮＨ、Ｎ−Ｃ１−４アルキル、ＯまたはＳである、前記医薬的処方。
【請求項７】
以下の特徴の少なくとも１つによって特徴付けられる、請求項６に記載の医薬的処方：
（ｉ）経口、直腸、非経口、経口腔、肺内または経皮投与用に適合している；
（ｉｉ）単位投与形態であり、各単位投与が０．００２５〜１０００ｍｇの範囲内にある前記少なくとも１つのメンバーの量を含んでなる；
（ｉｉｉ）前記少なくとも１つのメンバーが、予め決められた制御速度で放出される、制御された放出処方である。
【請求項８】
局所適用のために皮膚保護および化粧用の複数の組成物から選択される組成物であって、少なくとも１つの希釈剤、担体およびアジュバントと共に、抗酸化活性およびラジカルスカベンジャー活性から選択される活性を有している、請求項６に定義された式（１）の化合物の少なくとも１つを含む、前記組成物。